(57)【特許請求の範囲】
【請求項１】
織布または不織布からなり塗布剤を含浸させた含浸シート（１３）と、
含浸シート（１３）を片面に保持するとともに、当該塗布剤の透過または浸透を防ぐ性質を少なくとも有する基材シート（１２）と、
含浸シートとは反対側の基材シート面に固定され、基材シート（１２）との間に、使用者の手を挿入する空間を形成する外側シート（１１）と、
基材シートに保持された含浸シート（１３）を覆うとともに、前記塗布剤の透過または浸透を防ぐ性質を少なくとも有し剥離可能な剥離シート（１４）と、を備えた包装体であって、
上記基材シート（１２）と含浸シート（１３）、基材シート（１２）と外側シート（１１）、基材シート（１２）と剥離シート（１４）は、それぞれ互いにヒートシール接着されていて、
上記含浸シート（１３）は、その周縁部を基材シートにシールすることで、基材シート（１２）に保持されていて、
上記外側シート（１１）と基材シート（１２）は、互いの全周においてシール固定されており、
重なり合った両シート材の周縁に切込み（３０）が形成されていて、当該切込み（３０）から両シート材の一周辺領域（３１）を破断除去することにより、使用者の手を挿入する挿入口が形成される、包装体。
【発明の詳細な説明】
【技術分野】
【０００１】
本発明は、例えば消毒液等の塗布剤を含浸したシートを包装し、当該シートを露出させるよう開封して、消毒作業（塗布作業）を行う包装体に関する。
【背景技術】
【０００２】
医療現場では、しばしば、患者の体、あるいは手術台等の消毒が必要となる。そのような場面で使用される消毒手段として、例えば特許文献１、２に開示されたものが知られている。
【０００３】
特許文献１の消毒シート包装体においては、消毒シートが袋体に収容されている。袋体を開封して、ピンセットまたは指で摘んで消毒シートを取り出して使用する。
このような構成では、消毒シートに含浸された薬剤が使用者の手に触れることもあり、衛生上好ましくない。特に、手に触れては好ましくない薬剤に対しては、このような構成の包装体を適用することはできない。
【０００４】
特許文献２では、「薬液を吸収可能な綿棒」と「薬液を入れた収納袋」が個別に用意されており、両者が１つの包装体に収容されている。
この構成では、使用に際して、包装体を開封して両者を取り出し、さらに薬液収納袋を開封して、薬液を綿棒に含浸させる、といった面倒な作業が必要となる。また綿棒では、広範囲に薬液と塗布するのが面倒である。
【先行技術文献】
【特許文献】
【０００５】
【特許文献１】特開２００７−２５３９８６号公報
【特許文献２】特開平１１−２０６８１２号公報
【発明の概要】
【発明が解決しようとする課題】
【０００６】
本発明は、上記従来の事情に鑑みて創案されたものであって、例えば、消毒剤、クリーナー、化粧剤、その他の塗布剤を、これらが使用者の手に触れることを防止しつつ、簡単かつ効率的な塗布作業が可能となる包装構造を提供することを目的とする。
【課題を解決するための手段】
【０００７】
本発明により、以下の特徴を備えた包装体が提供される。
本発明の包装体は、「塗布剤を含浸させた含浸シート」と「含浸シートを片面に保持するとともに、当該塗布剤の透過または浸透を防ぐ性質を少なくとも有する基材シート」と「含浸シートとは反対側の基材シート面に固定され、基材シートとの間に、使用者の手を挿入する空間を形成する外側シート」と「基材シートに保持された含浸シートを覆うとともに、前記塗布剤の透過または浸透を防ぐ性質を少なくとも有し剥離可能な剥離シート」とを備える。
【０００８】
本発明において「塗布剤」とは、何らかの対象に塗布されるものを意味しており、その具体的内容は限定されない。代表的な例としては、消毒剤、床用ワックス、洗浄クリーナー、化粧水など、家庭や医療機関、その他において使用されるものである。
【発明の効果】
【０００９】
上記構成を備えた本発明の包装体によれば、基材シートと外側シート間の空間に片手を挿入するとともに、他方の手で剥離シートを剥離すれば、それだけで直ぐに塗布作業に取りかかることができるので、極めて使い勝手がよい。
また、基材シートが塗布剤の透過または浸透を防ぐ性質を少なくとも備えているため、使用者の手に塗布剤が付着することが防止される。これは、人体に好ましくない塗布剤の場合に、特に有益である。
【図面の簡単な説明】
【００１０】
【図１】本発明の一実施形態に係る包装体の積層構造を説明する図。
【図２】図１の包装体の使用方法を説明する図。
【図３】図１の包装体の使用方法を説明する図。
【図４】基材シートへの剥離シートの固定態様を説明する図。
【図５】図１の包装体およびその変形例を説明する図。
【発明を実施するための形態】
【００１１】
本発明の実施形態を添付の図面を参照して、以下に詳細に説明する。図１は、本発明の一実施形態に係る包装体１０の積層構造を示している。
図１に示したように、包装体１０は、次の４つのシート材から構成される。
【００１２】
≪含浸シート１３≫
含浸シート１３は、塗布剤を含浸している。「塗布剤」とは、例えば、消毒剤、床用ワックス、洗浄クリーナー、化粧水など、何らかの対象に塗布されるものを意味する。
含浸シート１３は、含浸させた塗布剤を保持し塗布可能とするという目的から、織布または不織布を用いることができ、基材シート１２及び剥離シート１４とのヒートシール性を考慮するとポリエチレンやポリプロピレン等のポリオレフィン系やポリエステル系等の不織布で構成されることが好ましいが、塗布目的を達成できるものであれば、適宜の材料を使用することが可能である。
【００１３】
≪基材シート１２≫
基材シート１２は、含浸シート１３を片面に保持する。含浸シート１３は、その全面に渡って、接着剤やヒートシール等を利用して基材シート１２に固定されていてもよいが、その周縁部のみを基材シート１２にシールして固定することが好ましい（その方が、塗布剤をより多く含浸できる）。
また、基材シート１２は、含浸シート１３に含浸された塗布剤の透過または浸透を防ぐ性質を少なくとも有しており、酸素や水分又は水蒸気による塗布剤の劣化を防止することを目的とし酸素バリア性や水蒸気バリア性を有するシートを介在させることが好ましく、さらに塗布剤の吸着を防止することを目的とし塗布剤の非吸着性を備えた樹脂層を塗布剤との接触面に採用することがより好ましい。後に説明するように、使用者は、その手を外側シート１１と基材シート１２の間に挿入して包装体１０を使用する。そのため、基材シート１２に塗布剤の透過または浸透を防ぐ性質をもたせることで、使用者の手に塗布剤が付着するのを防止できる。
基材シート１２の具体的な材質は、塗布剤の種類に対応させて、それに対するバリア性を有するよう公知の材料を適宜選択すればよい。例えば、消毒剤に対しては、酸素バリア性及び水蒸気バリア性に優れたアルミニウム箔を介在させることによって塗布剤の揮発や劣化の防止を実現できる。
【００１４】
≪外側シート１１≫
外側シート１１は、含浸シート１３とは反対側の基材シート面に固定される。図２、３に示したように、使用者は、外側シート１１と基材シート１２との間に手を挿入して、包装体１０を使用する。
【００１５】
≪剥離シート１４≫
剥離シート１４は、基材シートに保持された含浸シート１３を覆う。この剥離シート１４は、使用直前（塗布作業直前）に剥離除去されるものであり、含浸シートまたは基材シートとの剥離性を付与するため、片面に易剥離性樹脂層を備えたものであることが必要である。また、剥離シート１４は、その内面が含浸シート１３に当接するため、含浸シート１３に含浸された塗布剤の透過または浸透を防ぐ性質を少なくとも有しており、酸素や水分又は水蒸気による塗布剤の劣化を防止することを目的とし酸素バリア性や水蒸気バリア性を有するシートを介在させることが好ましく、さらに塗布剤の吸着を防止することを目的とし塗布剤の非吸着性を備えた樹脂層を塗布剤との接触面に採用することがより好ましい。
【００１６】
≪使用方法≫
次に、包装体１０の使用方法の一例を説明する。
図２、３に示したように、最初に使用者は、外側シート１１と基材シート１２の間に手を挿入する。このため、外側シート１１および基材シート１２は、少なくとも、一周辺１１ａ、１２ａにおいては、互いにシール固定されておらず、開口状態にある。他の三辺については、使用者が両シートの間に手を入れて塗布作業が可能となるように、少なくとも部分的に互いの周辺をシール固定しておく。
【００１７】
次に、剥離シート１４を剥がして、含浸シート１３を露出させる（図３ａ→図３ｂ）。なお、図示した例では、剥離シート１４は透明シートであるので、図３（ａ）において、剥離シート１４の向こう側に存在する含浸シート１３が透けて見えている。
図３（ｂ）の状態で、使用者は、含浸シート１３に含まれた塗布剤（消毒液、床用ワックス、洗浄クリーナー、化粧水など）を、塗布対象に適用することが可能となる。
【００１８】
≪基材シート１２への剥離シート１４の固定態様：図４≫
剥離シート１４は、含浸シート１３を覆って保護するとともに、含浸された塗布剤が使用前に揮散等によって減少するのを防いでおり、さらに塗布剤の酸素や水分又は水蒸気により劣化することを防止している。したがって、剥離シート１４は、少なくとも、含浸シート１３の全体を覆う必要がある。
そして、剥離作業を容易にするための摘み領域２４を備えていることが好ましい。すなわち、図４に示したように、剥離シート１４は、その４辺１４ａ〜ｄにおいて基材シート１２にシールされ、基材シート１２とで含浸シート１３を封止している。そして、１辺１４ｄを超えて、剥離シート１４は延在し、その部分が摘み領域２４を構成している。なお、摘み領域２４は、１４ａ〜ｃのいずれか一辺を超えて延在するように構成してもよい。
また、図４に示した例では、シール領域１４ｄと含浸シート１３の間に一定間隔を置いているが、この間隔を無くしてもよい。すなわち、シール領域１４ｄが含浸シート１３の一辺に重なるようにしてもよい。
【００１９】
≪変形例：図５ｂ≫
図５（ａ）は、図１〜４に示した包装体１０を示しており、図５（ｂ）は、その変形例を示している。図５（ａ）の包装体１０では、使用者が手を挿入する１辺において、外側シート１１と基材シート１２はシールされておらず、最初から開口している。
これに対して、図５（ｂ）の変形例では、外側シート１１と基材シート１２は、最初は全周において互いにシール固定されていて、手を挿入する開口は存在しない。重なり合った両シート材１１、１２の周縁に切込み３０が形成されていて、この切込み３０から両シート材１１、１２の一周辺領域３１（図５ｂにおいて、一点鎖線Ｒよりも手前側の領域）を破断除去することにより、使用者の手を挿入する挿入口が形成される。
このような構成によれば、使用者が手を入れる空間は、包装体の使用直前まで外部から遮断された状態となるので、衛生面でより好ましい。
【００２０】
≪各シート材の材質の例示≫
本発明において、各シート材１１〜１４を構成する具体的な材質は特に限定されず、上に説明した機能を奏するよう、公知の材料を適宜使用することが可能である。以下には、材質の一例を説明する。
【００２１】
各シート材の積層構成は、図１の上から順に、以下の通りである。
≪外側シート１１≫  ＰＥＴ／印刷層／ＤＬ／ＣＰＰ
≪基材シート１２≫  ＨＳＯＰＰ／ＤＬ／アルミニウム層／ＤＬ／ＬＬＤＰＥ
≪含浸シート１３≫  不織布（オレフィン系ベース）
≪剥離シート１４≫  ＥＰ／ＤＬ／酸化ケイ素蒸着ＰＥＴ／ＤＬ／印刷層／ＰＥＴ
ＰＥＴ    ：ポリエチレンテレフタレート
ＤＬ      ：接着剤層
ＣＣＰ    ：未延伸ポリプロピレン
ＨＳＯＰＰ：ヒートシール性延伸ポリプロピレン
ＬＬＤＰＥ：線状低密度ポリエチレン
ＥＰ      ：易剥離性樹脂層
【符号の説明】
【００２２】
１０  包装体
１１  外側シート
１２  基材シート
１３  含浸シート
１４  剥離シート
２４  摘み領域
３０  切込み
３１  破断除去される一周辺領域
【図１】
0005995401.tif 000002
【図２】
0005995401.tif 000003
【図３】
0005995401.tif 000004
【図４】
0005995401.tif 000005
【図５】
0005995401.tif 000006